(57)【要約】【課題】  ライティングの状態を簡易な構成で調整できる照明装置を提供する。【解決手段】  撮影に使用される撮影用照明装置において、第１の発光体１１を含む第１の発光部１０と、第２の発光体２１を含む第２の発光部２０と、第１の発光部１０と第２の発光部２０とを互いに蝶着する蝶着部３０と、を備える。第１の発光部１０と第２の発光部２０とが蝶着部３０によって回動自在である。照明装置１自体の左右照射角は回動角度を調整することで調整自在である。また、回動に応じて第１の発光部１０による配光と第２の発光部２０による配光との組み合わせの態様が変化する。すなわち、照明装置１自体の配光も回動角度を調整することで調整自在である。このように、第１の発光部１０と第２の発光部２０とを蝶着部３０で蝶着するという簡素な構造で、照明装置１の照射角や配光などライティングの状態を調整することができる。【選択図】  図１
2011186322.tif 000002
【特許請求の範囲】
【請求項１】
撮影に使用される撮影用照明装置において、
第１の発光体（１１）を含む第１の発光部（１０）と、
第２の発光体（２１）を含む第２の発光部（２０）と、
前記第１の発光部（１０）と前記第２の発光部（２０）とを互いに蝶着する蝶着部（３０）と、を備えたこと
を特徴とする撮影用照明装置。
【請求項２】
前記第１の発光体（１１）と前記第２の発光体（２１）は共に発光ダイオードを有すること
を特徴とする請求項１に記載の撮影用照明装置。
【請求項３】
前記第１の発光体（１１）と前記第２の発光体（２１）の少なくとも一方は、互いに種類が異なる２以上の光源を有すること
を特徴とする請求項１に記載の撮影用照明装置。
【請求項４】
前記第１の発光体（１１）と前記第２の発光体（２１）の少なくとも一方は、２以上の光源を有し、各光源の前面に互いに種類の異なる２以上の光学部品が配置されていること
を特徴とする請求項２に記載の撮影用照明装置。
【請求項５】
前記蝶着部（３０）の回動に応じて、前記第１の発光部（１０）の発光面（１３）と前記第２の発光部（２０）の発光面（２３）とが互いに近接して相対すること
を特徴とする請求項１に記載の撮影用照明装置。
【請求項６】
前記蝶着部（３０）の回動に応じて、前記第１の発光部（１０）の背面（１４）と前記第２の発光部（２０）の背面（２４）とが互いに相対すること
を特徴とする請求項１に記載の撮影用照明装置。
【請求項７】
前記蝶着部（３０）の回動軸（Ａ１）に対して垂直な回動軸（Ａ２）を有し、
前記第１の発光部（１０）又は前記第２の発光部（２０）が前記回動軸（Ａ２）で回動自在であること
を特徴とする請求項１に記載の撮影用照明装置。
【発明の詳細な説明】
【技術分野】
【０００１】
本発明は、撮影時に被写体を照射する撮影用照明装置に関し、特に二つの光源を用いてライティングの状態を調節するものに関する。
【背景技術】
【０００２】
写真撮影の際に、自然光で光量が足りない場合や、影を消したい場合や、明暗を調節したい場合など、には撮影用照明装置（本明細書では単に「照明装置」ともいう）、所謂ストロボ、が用いられる。照明装置の光源としては主にキセノン放電管が用いられる。
【０００３】
照明装置を使用したライティング方法としては、照明装置の照射方向を被写体方向に向けて被写体を直接光で照明する方法と、照明装置の照射方向を被写体方向とは別の方向に向けて被写体を反射光で間接的に照明する方法（バウンス発光、バウンス撮影という）、とがある。
【０００４】
カメラに内蔵される照明装置は、被写体の方向に向けて照射するようにカメラ本体に予め取り付けられる。このため、カメラに内蔵される照明装置を用いてバウンス撮影することは難しい。一方、カメラに外付けされる照明装置は、照射方向を機械的に調整する調整機構を備えるものもある。一般にバウンス撮影の際にはこうした調整機構を備えた外付けの照明装置が用いられる。
【発明の概要】
【発明が解決しようとする課題】
【０００５】
写真撮影の現場においては、ライティングの状態、例えば照明装置の照射角や配光（光度分布）など、を調整する機能を簡易な構成で実現したいという要望がある。
【０００６】
本発明はこうした実状に鑑みてなされたものであり、ライティングの状態を簡易な構成で調整できる照明装置を提供することを目的とするものである。
【課題を解決するための手段】
【０００７】
第１発明は、
撮影に使用される撮影用照明装置において、
第１の発光体（１１）を含む第１の発光部（１０）と、
第２の発光体（２１）を含む第２の発光部（２０）と、
前記第１の発光部（１０）と前記第２の発光部（２０）とを互いに蝶着する蝶着部（３０）と、を備えたこと
を特徴とする。
【０００８】
第１発明によれば、第１の発光部１０と第２の発光部２０とが蝶着部３０によって回動自在である。照明装置１自体の左右照射角は回動角度を調整することで調整自在である。また、回動に応じて第１の発光部１０による配光と第２の発光部２０による配光との組み合わせの態様が変化する。すなわち、照明装置１自体の配光も回動角度を調整することで調整自在である。このように、第１の発光部１０と第２の発光部２０とを蝶着部３０で蝶着するという簡素な構造で、照明装置１の照射角や配光などライティングの状態を調整することができる。
【０００９】
第２発明は、第１発明において、
前記第１の発光体（１１）と前記第２の発光体（２１）は共に発光ダイオードを有すること
を特徴とする。
【００１０】
第２発明によれば、第１の発光体１１及び第２の発光体２１が発光ダイオードを有するので、照明装置１を薄型にできる。結果として、照明装置１の携帯や収納の利便性が向上する。
【００１１】
第３発明は、第１発明において、
前記第１の発光体（１１）と前記第２の発光体（２１）の少なくとも一方は、互いに種類が異なる２以上の光源を有すること
を特徴とする。
【００１２】
第３発明によれば、様々な種類の光源を組み合わせることができるので、照射角や配光を自由に設定できる。
【００１３】
第４発明は、第１発明において、
前記第１の発光体（１１）と前記第２の発光体（２１）の少なくとも一方は、２以上の光源を有し、各光源の前面に互いに種類の異なる２以上の光学部品が配置されていること
を特徴とする。
【００１４】
第４発明によれば、様々な種類の光学部品を組み合わせることができるので、照射角や配光を自由に設定できる。
【００１５】
第５発明は、第１発明において、
前記蝶着部（３０）の回動に応じて、前記第１の発光部（１０）の発光面（１３）と前記第２の発光部（２０）の発光面（２３）とが互いに近接して相対すること
を特徴とする。
【００１６】
第５発明によれば、第１の発光部１０の発光面１３と第２の発光部の発光面２３とが蝶着部３０の回動に応じて互いに近接して相対する。照射装置１を使用しない場合などには、照射装置１を折り曲げて、第１の発光部１０の発光面１３と第２の発光部２０の発光面２３とを互いに相対させることによって、第１の発光部１０の発光面１３で第２の発光部２０の発光面２３を保護でき、第２の発光部２０の発光面２３で第１の発光部１０の発光面１３を保護できる。
【００１７】
第６発明は、第１発明において、
前記蝶着部（３０）の回動に応じて、前記第１の発光部（１０）の背面（１４）と前記第２の発光部（２０）の背面（２４）とが互いに相対すること
を特徴とする。
【００１８】
第６発明によれば、第１の発光部１０の背面１４と第２の発光部の背面２４とが蝶着部３０の回動に応じて互いに相対する。したがって、広い空間を照明できる。
【００１９】
第７発明は、第１発明において、
前記蝶着部（３０）の回動軸（Ａ１）に対して垂直な回動軸（Ａ２）を有し、
前記第１の発光部（１０）又は前記第２の発光部（２０）が前記回動軸（Ａ２）で回動自在であること
を特徴とする請求項１に記載の撮影用照明装置。
【００２０】
第７発明によれば、第１の発光部１０又は第２の発光部２０が２軸で回動自在なので、更に多様なライティングが可能になる。
【図面の簡単な説明】
【００２１】
【図１】撮影用照明装置の斜視図。
【図２】撮影用照明装置の正面図。
【図３】撮影用照明装置の底面図。
【図４】撮影用照明装置の側面図。
【図５】撮影用照明装置の背面図。
【図６】撮影用照明装置がスタンドに取り付けられた様子を示す図。
【図７】個々の発光ダイオードの照射状況の一例を示す図。
【図８】第１の発光部に対する第２の発光部の角度を変えたときの照射状況の変化を示す図。
【図９】蝶着部の回動軸に対して垂直な回動軸を有する撮影用照明装置を示す図。
【発明を実施するための形態】
【００２２】
以下、本発明の実施形態を図面を参照して説明する。
【００２３】
［実施例１］
本実施形態は、静止画や動画を撮影装置で撮影する際に用いられ、所定強度以上の光量を照射する撮影用照明装置に関する。
【００２４】
図１は撮影用照明装置の斜視図である。図２は撮影用照明装置の正面図である。図３は撮影用照明装置の底面図である。図４は撮影用照明装置の側面図である。図５は撮影用照明装置の背面図である。なお、本実施形態の撮影用照明装置は上下左右を特定するものではないが、説明の便宜上、図２における紙面上方を上と定義し、紙面下方を下と定義し、紙面右方を右と定義し、紙面左方を左と定義する。つまり、図４は右側面図である。また、図２、図４と図５とでは上下が逆である。
【００２５】
図１乃至図５を用いて照明装置１の構造を説明する。  
照明装置１は、第１の発光体１１を含む第１の発光部１０と、第２の発光体２１を含む第２の発光部２０と、第１の発光部１０と第２の発光部２０とを互いに蝶着する蝶着部３０と、を備える。
【００２６】
第１の発光部１０は、正面側に略平面の発光面１３を有し、背面側に略平面の背面１４を有し、左側にスレーブ受光部１２を有する。発光面１３には回動軸（蝶着部３０の中心軸）を中心とした放射方向すなわち左右方向に長い矩形の窓が形成される。窓にはレンズなどの透過性の光学部品が設けられる。その窓の内側には第１の発光体１１が設けられる。第１の発光体１１は複数の光源（図示なし）を有する。本実施形態では光源が発光ダイオードである。各発光ダイオードは左右方向に一列に整列されている。発光ダイオードから照射される照明光は窓を透過して外部に伝播する。
【００２７】
第２の発光部２０は、正面側に略平面の発光面２３を有し、背面側に略平面の背面２４を有する。発光面２３には回動軸（蝶着部３０の中心軸）を中心とした放射方向すなわち左右方向に長い矩形の窓が形成される。窓にはレンズなどの透過性の光学部品が設けられる。その窓の内側には第２の発光体２１が設けられる。第１の発光体２１と同様に、第２の発光体２１は複数の光源（図示なし）を有する。本実施形態では光源が発光ダイオードである。各発光ダイオードは左右方向に一列に整列されている。発光ダイオードから照射される照明光は窓を透過して外部に伝播する。
【００２８】
蝶着部３０は軸を中心にして回動する所謂ヒンジを有する。第１の発光部１０の右側端部は蝶着部３０に固定され、また、第２の発光部２０の左側端部は蝶着部３０に固定される。この構造によって、第１の発光部１０は蝶着部３０の回動軸を中心にして回動自在となる。同様に、第２の発光部２０は蝶着部３０の回動軸を中心にして回動自在となる。
【００２９】
蝶着部３０の回動角度α（図３参照）の範囲は自由に設定できるが、本実施形態では０°〜３６０°の範囲で回動できるものとする。すなわち、第１の発光部１０の発光面１３と第２の発光部２０の発光面２３とが互いに近接して対向する状態を回動角度０°とし、第１の発光部１０の背面１４と第２の発光部２０の背面２４とが互いに対向する状態を回動角度３６０°とする。
【００３０】
主に図３や図５で示されるように、第１の発光部１０の背面１４にはホルダ４０が設けられる。ホルダ４０は上下に鉤状の把持部を有し、この把持部で第１の発光部１０の上部及び下部を把持する。図６に示すように、ホルダ４０には照明用スタンド５０のバー５１が挿通される。なお、図６においてはバー５１の左側に照明装置１が設けられているが、右側に照明装置１を設けることも可能である。また、バー５１に２以上の照明装置１を設けることも可能である。
【００３１】
第１の発光体１１及び第２の発光体２１の電源は、第１の発光部１０または第２の発光部２０の内部または外部に設けられる。
【００３２】
第１の発光部１０の内部には、トリガ生成用の制御部が設けられる。この制御部は、スレーブ受光部１２で検出した光が一定強度以上であるときに、閃光用のトリガを生成する。第１の発光体１１及び第２の発光体２１はこのトリガに応じて同時に高速閃光する。但し、第１の発光体１１と第２の発光体２１とを同時に高速閃光させるのではなく、第１の発光体１１の高速閃光と第２の発光体２１の高速閃光との間に遅延時間を設定することも可能である。また、スレーブ受光部１２でなく、スイッチ操作に応じてトリガが生成されるようにすることも可能である。また、高速閃光でなく連続照明を可能にしても良い。
【００３３】
図７は個々の発光ダイオードの照射状況の一例を示す図である。  
ここでは第１の発光体１１と第２の発光体２１がそれぞれ三つの発光ダイオードを有する照明装置を想定する。図７（ａ）は、各発光体１１、２１において、三つの発光ダイオードのうち外側と中間に配置された発光ダイオードが発光する様子を示している。図７（ｂ）は、各発光体１１、２１において、三つの発光ダイオードのうち内側に配置された発光ダイオードが発光する様子を示している。各発光体１１、２１においては、回動軸側から外側に進むにつれて発光ダイオードの照射角が広くなるように、各発光ダイオードの照射角が設定されている。
【００３４】
図８は第１の発光部に対する第２の発光部の角度を変えたときの照射状況の変化を示す図である。図８（ａ）は回動角度αが１８０°の様子を示し、図８（ｂ）は図８（ａ）よりも回動角度αが小さい様子を示し、図８（ｃ）は図８（ｂ）よりも更に回動角度αが小さい様子を示す。  
ここでは図７と同じ照明装置、すなわち第１の発光体１１と第２の発光体２１がそれぞれ三つの発光ダイオードを有する照明装置を想定する。図８（ａ）〜（ｃ）で示すように、蝶着部３０の回動角度αを変化させることによって、照明装置自体の照射角および配光は変化する。図８においては、（ａ）、（ｂ）、（ｃ）の順で照射角が大きくなっている。
【００３５】
［他の実施例］
本発明は上記実施形態に限るものではない。  
発光ダイオードの数は単数でも良いし、複数でも良い。但し、複数の方が光量が多くなるので有利である。
【００３６】
また、各発光ダイオードは左右方向に１以上の列に整列されていても良いし、上下方向に１以上の列に整列されていても良いし、ランダムに並べられていても良い。
【００３７】
また、上記実施形態では各発光面１３、２３に矩形の窓が形成されているが、窓の形状や大きさは問わない。要は、発光面１３、２３側で所定強度以上の照明光が発生できれば良い。
【００３８】
また、発光ダイオードの種類が統一されていても良いし、相違していても良い。例えば、発光ダイオードの照射角や配光や光量や発光色が統一されていても良いし、相違していても良い。
【００３９】
また、第１の発光体１１の形態と第２の発光体２１の形態は互いに同一であっても良いし、相違していても良い。例えば、第１の発光体１１の形態と第２の発光体２１との間で、発光ダイオードの数・列・配置・照射角・配光・光量・発光色等が同一であっても良いし、相違していても良い。
【００４０】
また、各発光部１０、２０の窓に複数種類の光学部品が並べられていても良い。この場合、単一種類の発光ダイオードを設けたとしても、個々の発光ダイオードの前面に位置する光学部品の種類を相違させることで、照射角や配光や光量や発光色を相違させることができる。つまり、異なる種類の発光ダイオードを複数設けた場合と同じ作用効果を得ることができる。
【００４１】
また、第１の発光部１０と第２の発光部２０の少なくとも一方に、さらに別の発光部が蝶着されても良い。つまり、照明装置１がｎ（ｎ≧３）個の発光部とｎ−１個の蝶着部を有していても良い。
【００４２】
また、第１の発光部１０と第２の発光部２０の少なくとも一方が、蝶着部３０に対して着脱自在であっても良い。
【００４３】
また、図９に示すように、蝶着部３０の回動軸Ａ１に対して垂直な回動軸Ａ２を設け、第１の発光部１０又は第２の発光部２０を回動軸Ａ２で回動自在にしても良い。図９に示す実施形態においては、第２の発光部２０が回動軸Ａ１及びＡ２で回動自在である。図９（ａ）は第２の発光部２０が回動軸Ａ１を中心にして回動された状態を示し、図９（ｂ）は第２の発光部２０が回動軸Ａ１、Ａ２を中心にして回動された状態を示す。第２の発光部２０でなく、第１の発光部１０が蝶着部３０の回動軸Ａ１に対して垂直な回動軸を中心にして回動自在であっても良いし、両発光部１０、２０が共に回動自在であっても良い。
【００４４】
なお、発光ダイオードではなく、キセノン放電管など従来の光源を用いることも可能である。但し、照明装置１の小型化という観点では発光ダイオードが有効である。
【００４５】
また、各発光部１０、２０の窓の前面に他の光学部品（例えば拡散パネルなど）を設けて、ライティングの状態を調整しても良い。
【００４６】
勿論、上記各実施形態を適宜組み合わせることも可能である。
【００４７】
［作用効果］
本発明によれば、第１の発光部１０と第２の発光部２０とが蝶着部３０によって回動自在である。照明装置１自体の左右照射角は回動角度を調整することで調整自在である。また、回動に応じて第１の発光部１０による配光と第２の発光部２０による配光との組み合わせの態様が変化する。すなわち、照明装置１自体の配光も回動角度を調整することで調整自在である。このように、第１の発光部１０と第２の発光部２０とを蝶着部３０で蝶着するという簡素な構造で、照明装置１の照射角や配光などライティングの状態を調整することができる。
【００４８】
また、本発明によれば、第１の発光体１１及び第２の発光体２１が発光ダイオードを有するので、照明装置１を薄型にできる。結果として、照明装置１の携帯や収納の利便性が向上する。
【００４９】
また、本発明によれば、様々な種類の光源を組み合わせることができるので、照射角や配光を自由に設定できる。
【００５０】
また本発明によれば、様々な種類の光学部品を組み合わせることができるので、照射角や配光を自由に設定できる。
【００５１】
また、本発明によれば、第１の発光部１０の発光面１３と第２の発光部の発光面２３とが蝶着部３０の回動に応じて互いに近接して相対する。照射装置１を使用しない場合などには、照射装置１を折り曲げて、第１の発光部１０の発光面１３と第２の発光部２０の発光面２３とを互いに相対させることによって、第１の発光部１０の発光面１３で第２の発光部２０の発光面２３を保護でき、第２の発光部２０の発光面２３で第１の発光部１０の発光面１３を保護できる。
【００５２】
また、本発明によれば、第１の発光部１０の背面１４と第２の発光部の背面２４とが蝶着部３０の回動に応じて互いに相対する。したがって、広い空間を照明できる。
【００５３】
また、本発明によれば、第１の発光部１０又は第２の発光部２０が２軸で回動自在なので、更に多様なライティングが可能になる。
【００５４】
また、本発明によれば、第１の発光部１０と第２の発光部２０の回動角度を変化させることによって、被写体の影の方向を自由に変えることができる。
【００５５】
また、本発明によれば、様々なライティングが可能である。例えば、第１の発光部１０を被写体に向けて直接照明し、第２の発光部２０を被写体以外に向けてバウンスさせる、というライティングも可能である。
【００５６】
また、本発明によれば、スタンドを用いなくても照明装置１を所定位置に設置することができる。例えば、回動角度αを９０°程度に調整したうえで、第２の発光部２０の背面２４を設置位置の床面上に載置し、第１の発光部１０の発光面１３を被写体側に向ければ、第１の発光体１１で被写体を照明できる。また、別の態様として、回動角度αを１２０°程度に調整したうえで、第１の発光部１０と第２の発光部２０の下端（図２における下端）を下に向けて設置位置の床面上に載置し、第１の発光部１０の発光面１３と第２の発光部２０の発光面２３とを被写体側に向ければ、第１の発光体１１と第１の発光体２１とで被写体を照明できる。
【符号の説明】
【００５７】
１…照明装置、１０…第１の発光部、１１…第１の発光体、１２…スレーブ受光部、１３…発光面、１４…背面、２０…第２の発光部、２１…第２の発光体、２３…発光面、２４…背面、３０…蝶着部。
【図１】
2011186322.tif 000003
【図２】
2011186322.tif 000004
【図３】
2011186322.tif 000005
【図４】
2011186322.tif 000006
【図５】
2011186322.tif 000007
【図６】
2011186322.tif 000008
【図７】
2011186322.tif 000009
【図８】
2011186322.tif 000010
【図９】
2011186322.tif 000011